(57)【要約】      （修正有）【課題】文書の読み取りに関し、特に、公共の場又は、私的ではない環境において安全に文書を読み取ることを可能とする。【解決手段】私的ではない環境における安全な文書読み取り方法のいくつかでは、アクセス可能かつ書き込み可能な、読取装置に接続された取り外し可能なメディアデバイスの存在が検出されてもよく、また、ユーザには、読取装置関連パラメータ、文書関連パラメータ、取り外し可能なメディアデバイス関連パラメータを含む、読み取り関連パラメータを設定するインタフェースが与えられてもよい。読み取り文書は、ユーザが特定した基準を満たすときは、取り外し可能なメディアデバイスに保存されてもよい。ユーザが特定した基準には、文書に埋め込まれたセキュリティ機構の有効化及び認証を含んでもよい。【選択図】図１
2008104170.tif 000002
【特許請求の範囲】
【請求項１】
私的でない環境での安全な文書読取方法であって、
読取装置に接続された取り外し可能なメディアデバイスの存在を検出する工程、
読取装置設定パラメータ、文書関連設定パラメータ及び取り外し可能なメディアデバイス関連パラメータを含む設定パラメータをユーザが設定することが可能なユーザインタフェースを提供する工程、及び
ユーザが特定した基準に基づき、前記取り外し可能なメディアデバイスに読取文書を保存する工程を有する方法。
【請求項２】
請求項１の方法において、前記取り外し可能なメディアデバイスは、フラッシュドライブ、ＵＳＢフラッシュドライブ、圧縮フラッシュドライブ、セキュアフラッシュドライブ、圧縮セキュアフラッシュドライブ、マイクロドライブ及びポケットハードドライブのうちの一つを含む。
【請求項３】
請求項１の方法において、前記取り外し可能なメディアデバイスは、セキュア又は専用リンクを用いて前記読取装置に接続される。
【請求項４】
請求項１の方法において、スキャナに接続された前記取り外し可能なメディアデバイスの存在を検出する工程は、
前記読取装置が、機能する取り外し可能なメディアのポートを備えていない場合は、エラーを報告する工程、
前記取り外し可能なメディアのポートに、アクセス可能かつ書き込み可能な取り外し可能なメディアデバイスが接続されている場合は、前記アクセス可能かつ書き込み可能な取り外し可能なメディアデバイスの存在を報告する工程、及び
前記ポートにいずれのアクセス可能かつ書き込み可能な取り外し可能なメディアデバイスも接続されていない場合は、前記取り外し可能なメディアのポートに書き込み可能な取り外し可能なメディアデバイスを接続するようユーザに指示する工程を更に有する。
【請求項５】
請求項１の方法において、前記読取装置設定パラメータは、
読取解像度、
用紙サイズ、
用紙トレイ、
自動原稿送り、
カラーオプション、
モノクロオプション、
読取画像フォーマット、
文書中のテキストのための光学的文字認識、及び
読取ページ数のうちの一以上を更に含む。
【請求項６】
請求項１の方法において、前記文書関連設定パラメータは、
電子透かし又は他の埋め込み文書セキュリティ機能を検出する工程、及び
任意の電子透かし又は他の埋め込み文書セキュリティ機能を有効にする工程のうちの一以上を更に含む。
【請求項７】
請求項１の方法において、前記取り外し可能なメディアデバイスパラメータは、
圧縮関連パラメータ、
前記取り外し可能なメディアデバイス上のファイルシステムを読み出すための復号鍵、
前記取り外し可能なメディアデバイスにアクセスするためのパスワード、及び
前記取り外し可能なメディアデバイスにアクセスするための生体識別子のうちの一以上を更に含む。
【請求項８】
請求項１の方法において、ユーザに前記設定パラメータの設定を可能とする前記ユーザインタフェースは、前記読取装置上に表示される。
【請求項９】
請求項９の方法において、前記設定パラメータは前記読取装置に接続されたコンソール上で設定することができる。
【請求項１０】
請求項１の方法において、ユーザが特定した前記基準は、
前記読取文書の直接の記憶、
電子透かし及び他の埋め込み文書セキュリティスキームの検出及び有効化、並びに
前記取り外し可能なメディアデバイス上のディレクトリ、フォルダ又はパス情報の特定を含むファイル名のうちの一以上を含んでもよい。
【請求項１１】
コンピュータによって実行されるときに私的でない環境での安全な文書読取方法の工程を実施するための命令を記憶するコンピュータにより読み取り可能な媒体であって、前記工程は、
読取装置に接続された取り外し可能なメディアデバイスの存在を検出する工程、
読取装置設定パラメータ、文書関連設定パラメータ及び取り外し可能なメディアデバイス関連パラメータを含む設定パラメータをユーザが設定することが可能なユーザインタフェースを提供する工程、及び
ユーザが特定した基準に基づき、前記取り外し可能なメディアデバイスに読取文書を保存する工程を有する媒体。
【請求項１２】
請求項１１の方法において、前記取り外し可能なメディアデバイスは、フラッシュドライブ、ＵＳＢフラッシュドライブ、圧縮フラッシュドライブ、セキュアフラッシュドライブ、圧縮セキュアフラッシュドライブ、マイクロドライブ及びポケットハードドライブのうちの一つを含む。
【請求項１３】
請求項１１の方法において、前記取り外し可能なメディアデバイスは、セキュア又は専用リンクを用いて前記読取装置に接続される。
【請求項１４】
請求項１１の方法において、スキャナに接続された前記取り外し可能なメディアデバイスの存在を検出する工程は、
前記読取装置が、機能する取り外し可能なメディアのポートを備えていない場合は、エラーを報告する工程、
前記取り外し可能なメディアのポートに、アクセス可能かつ書き込み可能な取り外し可能なメディアデバイスが接続されている場合は、前記アクセス可能かつ書き込み可能な取り外し可能なメディアデバイスの存在を報告する工程、及び
前記ポートにいずれのアクセス可能かつ書き込み可能な取り外し可能なメディアデバイスも接続されていない場合は、前記取り外し可能なメディアのポートに書き込み可能な取り外し可能なメディアデバイスを接続するようユーザに指示する工程を更に有する。
【請求項１５】
コンピュータシステムを制御して私的でない環境での安全な文書読取方法の工程を実行するための命令を包含するコンピュータにより読み取り可能なメモリであって、前記工程は、
読取装置に接続された取り外し可能なメディアデバイスの存在を検出する工程、
読取装置設定パラメータ、文書関連設定パラメータ及び取り外し可能なメディアデバイス関連パラメータを含む設定パラメータをユーザが設定することが可能なユーザインタフェースを提供する工程、及び
ユーザが特定した基準に基づき、前記取り外し可能なメディアデバイスに読取文書を保存する工程を有するメモリ。
【請求項１６】
請求項１５の方法において、前記取り外し可能なメディアデバイスは、フラッシュドライブ、ＵＳＢフラッシュドライブ、圧縮フラッシュドライブ、セキュアフラッシュドライブ、圧縮セキュアフラッシュドライブ、マイクロドライブ及びポケットハードドライブのうちの一つを含む。
【請求項１７】
請求項１５の方法において、前記取り外し可能なメディアデバイスは、セキュア又は専用リンクを用いて前記読取装置に接続される。
【請求項１８】
請求項１５の方法において、スキャナに接続された前記取り外し可能なメディアデバイスの存在を検出する工程は、
前記読取装置が、機能する取り外し可能なメディアのポートを備えていない場合は、エラーを報告する工程、
前記取り外し可能なメディアのポートに、アクセス可能かつ書き込み可能な取り外し可能なメディアデバイスが接続されている場合は、前記アクセス可能かつ書き込み可能な取り外し可能なメディアデバイスの存在を報告する工程、及び
前記ポートにいずれのアクセス可能かつ書き込み可能な取り外し可能なメディアデバイスも接続されていない場合は、前記取り外し可能なメディアのポートに書き込み可能な取り外し可能なメディアデバイスを接続するようユーザに指示する工程を更に有する。
【請求項１９】
私的でない環境での安全な文書読取方法の工程を実行する命令を実施するコンピュータプロセッサであって、前記工程は、
読取装置に接続された取り外し可能なメディアデバイスの存在を検出する工程、
読取装置設定パラメータ、文書関連設定パラメータ及び取り外し可能なメディアデバイス関連パラメータを含む設定パラメータをユーザが設定することが可能なユーザインタフェースを提供する工程、及び
ユーザが特定した基準に基づき、前記取り外し可能なメディアデバイスに読取文書を保存する工程を有するコンピュータプロセッサ。
【請求項２０】
私的でない環境での安全な文書読取システムであって、
読取装置に接続された取り外し可能なメディアデバイスの存在を検出する手段、
読取装置設定パラメータ、文書関連設定パラメータ及び取り外し可能なメディアデバイス関連パラメータを含む設定パラメータをユーザが設定することが可能なユーザインタフェースを提供する手段、及び
ユーザが特定した基準に基づき、前記取り外し可能なメディアデバイスに読取文書を保存する手段を有するシステム。
【発明の詳細な説明】
【技術分野】
【０００１】
本発明は、文書の読み取りに関し、特に、公共の場又は私的でない環境で安全に文書を読み取るためのシステム、方法及びユーザインタフェースに関する。
【背景技術】
【０００２】
文書スキャナ、プリンタ及び複合機などのコンピュータスキャナは、物理的な文書を電子的形態に変換すること及び電子的な文書を物理的形態に変換することを容易にする。例えば、物理的な文書は読み取られ、電子的形態でコンピュータに記憶されうる。読み取られた文書は、少なくとも初めは、ピクセルのシーケンスから成る画像として表されうる。ユーザは、読み取りに先立ち、各種の読み取り又は文書サイズ、出力ファイルの形式、及び／若しくは読取解像度等の文書関連のオプションを選択することにより、スキャナを頻繁に設定しうる。一般に、読み取られた画像はネットワーク上に又は付属のコンピュータに送信され、初期設定の又はユーザ指定の記憶場所において保存される。
【０００３】
家庭又は他の管理された私的な若しくは安全な環境では、ネットワーク送信及び画像の記憶は比較的安全であり、ユーザは私的なファイルへのアクセス制限をすることができる。しかし、会社、公共の又は準公共の若しくはあらゆる私的ではない環境において、ネットワーク送信及び読み取られたファイルの記憶はセキュリティリスクを引き起こす。ネットワークを介して送信された情報は傍受される可能性があり、また、初期設定で公的アクセスが可能なフォルダに記憶された画像は、それらが削除可能になる前に、権限のない者たちに閲覧される可能性がある。公衆の文書サービスセンター（（例えば、Ｋｉｎｋｏ´ｓ等）のユーザは、読み取ったデータの守秘義務に関する保証なしで、個人的又は私的な情報を読み取ることを嫌う。
【発明の開示】
【発明が解決しようとする課題】
【０００４】
このように、ユーザが安全に文書を読み取ることを可能とし、読取処理においてより優れた管理を発揮するシステム、方法及びインタフェースが必要とされている。
【課題を解決するための手段】
【０００５】
本発明によれば、私的ではない環境において安全に文書を読み取るためのシステム、方法及びユーザインタフェースが提示される。
【０００６】
一部の実施形態では、私的でない環境での安全な文書読取方法は、読取装置に接続された取り外し可能なメディアデバイスの存在を検出する工程、読取装置設定パラメータ、文書関連設定パラメータ及び取り外し可能なメディアデバイス関連パラメータを含む設定パラメータをユーザが設定することが可能なユーザインタフェースを提供する工程、及びユーザが特定した基準に基づき、前記取り外し可能なメディアデバイスに読取文書を保存する工程を有する。ユーザが特定した基準には、前記読取文書の直接の記憶、電子透かし及び他の埋め込み文書セキュリティスキームの検出及び有効化、並びに前記取り外し可能なメディアデバイス上のディレクトリ、フォルダ又はパス情報の特定を含むファイル名のうちの一以上を含んでもよい。
【０００７】
スキャナに接続された前記取り外し可能なメディアデバイスの存在を検出する工程は、前記読取装置が、機能する取り外し可能なメディアのポートを備えていない場合は、エラーを報告する工程、前記取り外し可能なメディアのポートに、アクセス可能かつ書き込み可能な取り外し可能なメディアデバイスが接続されている場合は、前記アクセス可能かつ書き込み可能な取り外し可能なメディアデバイスの存在を報告する工程、及び前記ポートにいずれのアクセス可能かつ書き込み可能な取り外し可能なメディアデバイスも接続されていない場合は、前記取り外し可能なメディアのポートに書き込み可能な取り外し可能なメディアデバイスを接続するようユーザに指示する工程を更に有してもよい。取り外し可能なメディアデバイスは、フラッシュドライブ、ＵＳＢフラッシュドライブ、圧縮フラッシュドライブ、セキュアフラッシュドライブ、圧縮セキュアフラッシュドライブ、マイクロドライブ及びポケットハードドライブのうちの一つを含んでもよい。
【０００８】
読取装置設定パラメータは、読取解像度、用紙サイズ、用紙トレイ、自動原稿送り、カラーオプション、モノクロオプション、読取画像フォーマット、文書中のテキストのための光学的文字認識及び読取ページ数のうちの一以上を更に含んでもよい。文書関連設定パラメータは、電子透かし又は他の埋め込み文書セキュリティ機能を検出する工程、及び任意の電子透かし又は他の埋め込み文書セキュリティ機能を有効にする工程のうちの一以上を更に含んでもよい。取り外し可能なメディアデバイスパラメータは、圧縮関連パラメータ、前記取り外し可能なメディアデバイス上のファイルシステムを読み出すための復号鍵、前記取り外し可能なメディアデバイスにアクセスするためのパスワード、及び前記取り外し可能なメディアデバイスにアクセスするための生体識別子のうちの一以上を更に含んでもよい。
【０００９】
ユーザに読み取り設定パラメータの設定を可能とするユーザインタフェースは、読取装置上に表示されてもよく、又は読取装置に接続されたコンソール上に表示されてもよい。
【００１０】
本発明の実施形態は、安全な読み取りのための命令を実行するプロセッサ又はコンピュータにより読み取り可能な媒体及びコンピュータメモリに記憶された安全な読み取りのための命令にも関連している。
【００１１】
これら及び他の実施形態は、以下の図面を参照して以下に更に説明される。
【発明を実施するための最良の形態】
【００１２】
本発明によれば、安全に文書を読み取るためのシステム、方法及びユーザインタフェースが提示される。
【００１３】
図１は、文書の安全な読み取りのための例示的なシステムのブロック図を示す。本発明に適合するコンピュータソフトウェアアプリケーションは、図１に示すようなコンピュータ、スキャナ、複合機及び他の周辺機器のネットワーク上に配備（deploy）されてもよい。これらは、従来のコミュニケーションプロトコル及び／又はデータポートインタフェースを用いて情報をやり取りさせるコミュニケーションリンクを介して接続されている。場合により、システム１００は、ユーザにとって私的ではない環境に配置されてもよい。例えば、私的ではない環境には会社、公共の又は準公共の環境が含まれ、これらの環境では、ユーザの私的データに対し、他のユーザが閲覧、傍受又はアクセスをすることができる可能性がある。
【００１４】
図１に示すように、例示的なシステム１００は、コンピュータデバイス１１０及びサーバ１３０を含んでいる。更に、コンピュータデバイス１１０及びサーバ１３０は、接続部１２０を介して通信することができる。接続部１２０は、ネットワーク１４０を通過してもよく、一例としては、インターネットであってもよい。コンピュータデバイス１１０は、コンピュータワークステーション、デスクトップコンピュータ、ラップトップコンピュータ又はネットワーク化された環境で用いられうる他のいかなるコンピュータデバイスであってもよい。サーバ１３０は、コンピュータデバイス１１０、読取装置１７０及び図示しない他の装置にも接続可能なプラットフォームであってもよい。コンピュータデバイス１１０及びサーバ１２０は、例示的な読取装置１７０−１，１７０−２及び１７０−３等の読取装置１７０の制御及び設定を可能にする図示しないソフトウェアを実行可能であってもよい。例示的な読取装置１７０−１，１７０−２及び１７０−３は、スキャナ、複合機又は読み取り若しくはデジタル化が可能な他の装置であってもよい。
【００１５】
コンピュータデバイス１１０は、取り外し可能な記憶装置１５０も含んでいる。取り外し可能な記憶装置１５０は、例えば、３．５インチフロッピードライブ、ＣＤ−ＲＯＭドライブ、ＤＶＤ−ＲＯＭドライブ、ＣＤ±ＲＷ若しくはＤＶＤ±ＲＷドライブ及び／又は本発明の実施形態に適合する他のいかなる取り外し可能な記憶装置であってもよい。一部の実施形態では、ソフトウェアアプリケーションの一部は取外し可能な媒体にあり、取り外し可能な記憶装置１５０を用いるコンピュータデバイス１１０によって読み取り、実行されてもよい。
【００１６】
接続部１２０は、コンピュータデバイス１１０、サーバ１３０及び読取装置１７０を接続する。接続部１２０は、従来の通信プロトコル及び／又はデータポートインタフェースを用いて、有線接続又は無線接続として実施される。一般に、接続部１２０は、装置間のデータ送信を可能とするいかなる通信チャネルとされてもよい。例えば、一つの実施形態では、装置は、Ｅｔｈｅｍｅｔ、ＵＳＢ、ＳＣＳＩ及び／若しくはＦＩＲＥＷＩＲＥ等の従来のデータポートや、適当な接続部１２０を介してデータ送信するためのポートを備えてもよい。コミュニケーションリンクは、無線リンク、有線リンク、又はコンピュータデバイス１１０、サーバ１３０及び読取装置１７０の間の通信を可能とする本発明の実施形態に適合したいかなる連係であってもよい。
【００１７】
ネットワーク１４０は、ローカルエリアネットワーク（ＬＡＮ）、ワイドエリアネットワーク（ＷＡＮ）又はインターネットを含んでもよい。一部の実施形態では、ネットワーク１４０を介して送信された情報は、送信中のデータのセキュリティを保証するために暗号化されてもよい。
【００１８】
図１に示すように、システム１００は複数の読取装置を含んでもよい。読取装置１７０は、接続部１２０を介してネットワーク１４０に接続されてもよい。一部の実施形態では、読取装置１７０は、コンピュータデバイス１１０及び／又はサーバ１２０に直接接続されてもよく、コンピュータデバイス１１０又はサーバ１２０上で動作するソフトウェアにより制御されてもよい。一般に、読取装置１７０は、一以上のソフトウェア、ハードウェア又はファームウェアの組み合わせにより制御されてもよい。読取装置１７０は、統括又は外部コントローラ１７５によって制御されてもよい。例えば、読取装置１７０−２は統括コントローラ１７５により制御され、読取装置１７０−３は外部コントローラ１７５により制御されてもよい。
【００１９】
例示的な読取装置１７０に関する設定パラメータは、ユーザにより設定可能であってもよい。例えば、解像度、画像フォーマット、文書サイズ及びカラー符号化等の読取装置設定パラメータ並びに他の設定パラメータは、ユーザにより設定可能であってもよい。ユーザは、給紙トレイ及び文書のバッチ処理を可能とする自動給紙装置の使用を特定することが可能であってもよい。一般に、設定オプションの種類及び様式は、読取装置の機能及び特定の装置で利用できる機能によって決まるだろう。一部の実施形態では、読取装置に及び／又は読取装置から送信される情報は、コンピュータデバイス１１０、サーバ１３０及び／又は取り外し可能なメディアデバイス１８０に送信され、記憶される。ユーザが読取装置１７０にログインして、印刷装置１６０上のソフトウェア又はファームウェアが各種の機能を実行できるようにする等の管理機能を実行することができるようにしてもよい。
【００２０】
一部の実施形態では、ユーザが他の文書関連の設定パラメータによりスキャナを設定できるようにしてもよい。文書関連の設定パラメータは、電子透かし又は他の埋め込み文書セキュリティ機能を検出することや、文書が読み込まれるときに検出された電子透かし又は他の埋め込み文書セキュリティ機能を有効にすることのうち一つ以上を含んでもよい。
【００２１】
読取装置１７０は、図１に示すように、フラッシュドライブ、ＵＳＢドライブ、セキュアドライブ（secure drive）、ポケットハードドライブ、マイクロドライブ又は他の記憶ドライブ等の取り外し可能なメディアデバイス１８０を接続するためのポートを備えていてもよい。一部の実施形態では、読取装置１７０で実行されるアプリケーションによって生成されたファイル、演算結果又はレポートは、取り外し可能なメディアデバイス１８０に記憶されてもよい。一部の実施形態では、取り外し可能なメディアデバイス１８０は、コンピュータデバイス１１０又はセキュアリンクを用いた外部コントローラ１７５の図示しないポートに接続されてもよい。例えば、コンピュータデバイス１１０が読取装置１７０−１のコントローラとして機能するときは、取り外し可能なメディアデバイス１８０は、コンピュータデバイス１１０の図示しない適当なポートに接続されてもよい。一部の実施形態では、コンピュータデバイス１１０及び／又は外部コントローラ１７５における図示しない取り外し可能なメディアデバイスのポートの使用は、このようなポートを備えていない読取装置１７０によって、又は読取装置１７０の取り外し可能なメディアデバイスのポートがアクセス容易でないか、機能していない場合において、ここに記述される方法及び技術を使用することを可能としうる。
【００２２】
一部の実施形態では、セキュアフラッシュドライブは、ファイルシステムの下位においてディスク全体の暗号化を用いる記憶データの暗号化を特徴としてもよい。このような暗号化は、権限のない人物が記憶データにアクセスするのを防止することができる。一部の実施形態では、暗号化アプリケーション（TrueCrypt,、CryptoBuddy又はPrivateDisk等）は、暗号化ファイル画像と共に取り外し可能なメディアデバイスに記憶されてもよい。暗号化パーティションには、その後、暗号化アプリケーションを実行できるいかなるコンピュータ又は装置からでもアクセスすることができる。例えば、Windows、Macintosh及びLinuxで実行可能なファイルを、ドライブに含めることができる。一部の実施形態では、フラッシュドライブがユーザの身元を確認する指紋生体認証に対応しており、より高い水準の安全性を提供することができるものとしてもよい。
【００２３】
例示的な読取装置１７０−１、１７０−２及び１７０−３等の読取装置は、例示的なコンソール１９０−１、１９０−２及び１９０−３等のコンソール１９０や、グラフィカルユーザインタフェースの表示、設定オプションの設定及びユーザとの他の通信及びインタラクションを可能とする他のインタフェースを備えることもできる。一部の実施形態では、読取装置１７０とのインタラクションは、読取装置１７０に接続されたコンピュータのモニタに表示されたユーザインタフェースを介して行われる。例えば、読取装置１７０−１に一以上の設定オプションを設定するユーザインタイフェースが、コンピュータ１１０に接続されたモニタ１１５に表示されてもよい。読取装置１７０−３に関わるユーザインタフェースもまた、サーバ１３０で動作するソフトウェアを用いたモニタ１１５に表示されてもよい。
【００２４】
本発明に適合するコンピュータソフトウェアアプリケーションは、例示的なコンピュータ、スキャナ及び／又は他の周辺機器のうちの一以上に配備（deploy）されてもよい。例えば、読取装置１７０−１は、サーバ１３０からダウンロードすることができる、コンピュータデバイス１１０で実行されるソフトウェアに基づき、コンソール１９０−１上にユーザインタフェースを表示することができる。一部の実施形態では、読取装置１７０は、コンピュータソフトウェアアプリケーション全体を実行してもよい。一般に、ユーザとのインタラクションは、例示的なコンソール１９０を用いた適当なユーザインタフェースを介して行われる。ユーザインタラクションは、コントローラ１７５、サーバ１３０、コンピュータ１１０及び適当なユーザ入力を用いたユーザインタフェース並びに表示装置を介して行われてもよい。
【００２５】
図２は、安全な文書読取方法の例示的なフローチャートを示している。フローチャート２００のアプリケーション実行工程の部分は、コンピュータデバイス１１０、サーバ１３０、コントローラ１７５及び／又はスキャナ１７０のうちの一以上において行われてもよい。演算手順はステップ２１０から開始される。ステップ２２０において、アプリケーションにより文書が読み取られたか否かを決定してもよい。読取装置１７０は、読み取り文書を自動検出してもよく、また、読み取り文書が存在することを示すユーザ入力を受信してもよい。
【００２６】
ステップ２３０において、ユーザは、読み取りに関わる読取装置設定オプションを選択してもよい。例えば、読取解像度、ページ数、読取画像フォーマット、自動原稿送り、カラー及び／又はモノクロモノクロオプション、用紙トレイ、用紙サイズ、文書中のテキストのための光学的文字認識（ＯＣＲ）等が、コンソール１９０上でユーザに示されるグラフィカルユーザインタフェース（ＧＵＩｓ）等の適当なユーザインタフェースを介して特定されてもよい。ユーザインタラクションが、例示的なコンピュータ１１０等のコンピュータを介して行われる場合は、コンピュータ１１０に接続され又はコンピュータ１１０からアクセス可能な読取装置が、このような装置のリストを調べることにより決定されてもよい。
【００２７】
ルーチン２４０では、ユーザは、読み取られた文書の記憶オプションの入力を指示されてもよい。一部の実施形態では、ユーザに示される記憶オプションには、取り外し可能なメディアデバイス１８０への記憶が含まれてもよい。取り外し可能なメディアデバイス１８０が検出されなかった場合は、取り外し可能なメディアデバイス１８０が装着されるか否か、ユーザに問い合わせてもよい。ユーザが肯定的な応答をした場合は、ユーザはこのような装置を装着するように指示されてもよい。図３は、読取装置に接続された取り外し可能なメディアデバイスを検出する工程を詳しく説明するフローチャートを示す。一部の実施形態では、フローチャート３００における工程は、ルーチン２４０の一部となることができる。
【００２８】
ルーチン２５０では、ユーザは、特定された記憶媒体の種類に基づき、追加的な読み取りオプションの入力を指示されてもよい。例えば、取り外し可能なメディアデバイス１８０がセキュアドライブであった場合又はパスワードを要求する場合は、ユーザは適切なやり方で入力を指示されうる。図４は、読取装置１７０に接続された取り外し可能なメディアデバイスの様式を認識する方法の工程によるフローチャート４００を示す。
【００２９】
ステップ２６０では、ユーザがファイルネームについて入力を指示されてから読み取り処理が開始されてもよい。文書は読み取られた後、取り外し可能なメディアデバイス１８０のうち、ユーザが指定した記憶場所又はディレクトリに保存される。ルーチン２７０では、ファイルの存在が確認されてもよい。ファイルが存在する場合は、読み取ったファイルに関する他の属性及びアスペクトもまた、ルーチン２７０において調べられ及び／又は確認されてもよい。図５は、追加的な読み取りオプションの入力方法の工程によるフローチャートを示す。一部の実施形態では、フローチャート５００における工程は、ルーチン２７０の一部となることができる。
【００３０】
ステップ２８０において、ユーザは、取り外し可能なメディアデバイス１８０を取り外すように指示されてもよい。一部の実施形態では、この指示には、警報音、フラッシュライト、点滅アイコン又は取り外し可能なメディアデバイス１８０を取り外すようユーザに注意を喚起する他の方法が含まれてもよい。演算手順は、その後ステップ２２０に戻り、次の文書の処理を行ってもよい。読取装置１７０に直接接続された、又はセキュアリンクを用いたスキャナに接続された取り外し可能なメディアデバイス１８０の使用は、読み取られたファイルへの権限のないアクセスを防ぐことができる。取り外し可能なメディアデバイス１８０は、ドライブ上のいかなる記憶データにもアクセスがされることなく読み取りが完了したときは、ユーザによって取り外されるのみでもよい。セキュアドライブに存在する暗号化又は生体認証等の他の特徴もまた、読取装置１７０に接続されたドライブ上の記憶データへの権限のないアクセスを防ぐのに役立つ。
【００３１】
図３は、読取装置に接続された取り外し可能なメディアデバイスを検出する工程を詳しく説明するフローチャート３００を示す。一部の実施形態では、フローチャート３００に示される処理は、ルーチン２４０の一部として実行されてもよい。ステップ３１０において、演算手順は、読取装置１７０が、取り外し可能なメディアデバイス１８０に対応するポートを用いて設定されているか否かを確認する。このようなポートが存在しない場合又はポートが使用不可能な場合は、ステップ３７０において、適当なエラーメッセージ又は他の修正措置が実行されてもよい。
【００３２】
ポートが存在する場合は、ステップ３２０において、装置がポートに装着されているか否かを決定するよう、ポートに問い合わせが行われる。装置が装着されていない場合は、ステップ３２５において、ユーザは取り外し可能なメディアデバイス１８０を装着するよう指示されてもよい。演算手順は、その後ステップ３２０に戻る。一部の実施形態では、装置が検出されなかった場合は、特定の反復回数の後及び／又は特定の時間が経過した後、エラーメッセージ又は異常が伝えられてもよい。
【００３３】
装置が存在する場合は、ステップ３３０において、装置の種類が確認される。一部の実施形態では、読取装置１７０の自動特定（auto-detect）又はプラグアンドプレイ機能が呼び出され、装置がスキャナ１７０のポートに接続されているか否かを自動的に検出し、接続された装置の種類を自動的に認識してもよい。ステップ３４０において、装置が書き込み可能な装置であると確定された場合は、制御はステップ３５０で呼び出しプログラムに戻ってもよい。装置が書き込み可能でない場合は、ステップ３６０においてエラールーチンが呼び出されてもよい。
【００３４】
図４は、読取装置１７０に接続された取り外し可能なメディアデバイスの種類を認識する方法の工程によるフローチャート４００を示す。一部の実施形態では、フローチャート４００に示される処理は、ルーチン２４０の一部として実行されてもよい。ステップ４１０では、取り外し可能なメディアデバイス１８０が圧縮ドライブであるか否かが確認される。取り外し可能なメディアデバイス１８０が圧縮ドライブであると確定された場合は、ステップ４２０において、ユーザはこれを確認するよう要求されてもよい。
【００３５】
ステップ４３０において、取り外し可能なメディアデバイス１８０がセキュア又は暗号化ドライブであるか否かを確定するための確認が行われる。取り外し可能なメディアデバイス１８０がセキュア又は暗号化ドライブであると確定された場合は、ステップ４４０において、ユーザはパスワード及び／又は鍵（key）等の暗号解読情報を入力するよう要求されてもよい。パスワード又は鍵は、ステップ４４５において確認される。ユーザから提供された情報が正しい場合は、演算手順はステップ４５０に進む。その他の場合は、ユーザはステップ４４０に戻って情報を再入力するよう要求される。一部の実施形態では、誤ったパスワード又は鍵が繰り返し入力された場合は、特定の反復回数の後及び／又は特定の時間が経過した後、エラーメッセージ又は異常が伝えられてもよい。
【００３６】
次に、ステップ４５０において、ドライブがアクセス可能に搭載されているか否かを確定するための確認が行われる。ドライブがアクセス可能に搭載されていると確定された場合は、演算手順は、ステップ４６０で呼び出しプログラムの制御に戻る。ドライブが搭載されていないかアクセス可能でない場合は、エラーメッセージが表示されるかエラー処理ルーチンが呼び出されてもよい。一般に、ユーザは、取り外し可能なメディアデバイス１８０のデータのアクセス又は記憶に関わるコンソール１９０上に表示された適当なユーザインタフェースを用いて、取り外し可能なメディアデバイスパラメータを特定することができる。取り外し可能なメディアデバイスパラメータは、圧縮関連のパラメータ、取り外し可能なメディアデバイスのファイルシステムを読み出すための復号鍵、取り外し可能なメディアデバイスにアクセスするためのパスワード及び／又はメディアデバイスにアクセスするための生体識別子のうちの一以上を含んでもよい。
図５は、読み取った文書に関連する属性に基づいた追加的な読み取りオプションを入力する方法の工程によるフローチャートを示す。一部の実施形態では、フローチャート５００が示す処理は、ルーチン２７０の一部として行われてもよい。場合によっては、文書を電子透かし又は他のセキュリティオプションによって保護することにより、文書の読み取り能力を制限し、又は認証された読み取り文書のみを記憶してもよい。ユーザは、追加的な読み取りオプションに関連するメニュー又はＧＵＩを用いて、読み取り文書に関する一以上のオプションを選択してもよい。一般に、ユーザはいくつかの文書関連の設定パラメータ特定し、スキャナが電子透かし又は他の埋め込み文書セキュリティ機能を検出するように設定し、検出された電子透かし又は他の埋め込み文書セキュリティ機能を有効にしてもよい。
【００３７】
ステップ５１０において、ユーザは、読み取り文書について電子透かしの確認を行うか否か尋ねられてもよい。ユーザが肯定的な応答をした場合又は適当なメニュー項目を選択した場合は、ステップ５２０において、電子透かし又は他のセキュリティ若しくは認証手段の存在を検出又は有効化するためのプレビュースキャンが実行されてもよい。一部の実施形態では、プレビュースキャンは、文書に埋め込まれた電子透かしを検出する目的の、速く解像度が低いスキャンであってもよい。電子透かし又は他のセキュリティ手段が読み取られなかった場合は、演算手順はステップ５６０に進み、ユーザセッティング又は他のスキャナ設定のセッティングに基づき、文書全体が読み取られてもよい。
【００３８】
電子透かしが検出された場合は、ステップ５４０において、ユーザは透かし又は電子署名の有効化を行うか否か尋ねられてもよい。ステップ５５０において、電子署名は、適当なアプリケーションを呼び出すことにより有効化されてもよい。署名が有効な場合は、演算手順はステップ５６０に進み、特定された読取装置設定パラメータに基づいて文書全体が読み取られる。署名が有効でない場合は、ステップ５７０においてエラールーチンが呼び出される。電子透かし又はセキュリティ手段が検出されなかった場合は、演算手順はステップ５６０に進み、事前に特定された読取装置設定パラメータに基づいて文書全体が読み取られてもよい。
【００３９】
一般に、ユーザは、文書が取り外し可能なメディアデバイス１８０に記憶される前に満たされるべき基準を特定してもよい。ユーザにより特定される基準は、読み取り文書を直接記憶すること、検出の後に読み取り文書を記憶すること並びに電子透かし及び他の埋め込み文書セキュリティスキームを有効化することのうちの一以上を含んでもよい。ユーザはまた、記憶される文書のために、取り外し可能なメディアドライブ上のディレクトリ、フォルダ及び／又はパス情報を含む読み取り文書のファイル名を特定してもよい。一部の実施形態では、ユーザは、読み取り装置が自動的に読み取り文書固有のファイル名を生成するようにしてもよい。
【００４０】
更に、本発明の実施形態に適合する方法は、プログラムモジュール、ハードウェアモジュール又はプログラム及びハードウェアモジュールの組合せを用いて便宜に実施されうる。このようなモジュールは、実施される際に、図示された例示的なフローチャートを参照して開示される工程及び機能を含む、ここに記述する工程及び機能を実施してもよい。上述した及び添付の図面に図示された工程、段階、手順は、当業者が本発明を実施することができるように十分に開示されている。更に、本発明の実施形態を実施するために用いられうる多くのコンピュータ及びオペレーティングシステムが存在することから、これらの多くの異なるコンピュータに適用することができる詳細なコンピュータプログラムを提供することはできなかった。特定のコンピュータの各ユーザには、ユーザのニーズ及び目的に最も有用な言語、ハードウェア及びツールがわかるだろう。
【００４１】
上記の本発明の特徴及び側面は、様々な環境で実施されうる。このような環境及び関連アプリケーションは、特に、本発明の各種の処理及び動作を実行するために構成されてもよく、又は、それらは汎用コンピュータ若しくは機能性を提供するプログラムコードにより選択的に作動又は再設定するコンピューティングプラットフォームを含んでもよい。ここに開示される処理は、いかなる特定のコンピュータ又は他の装置に本質的に関連するものではなく、これらの処理の過程は、ハードウェア、ソフトウェア及び／又はファームウェアの適切な組合せにより実施されてもよい。例えば、各種の汎用機械が、本発明の教示に従って書かれたプログラムにより使用されてもよく、又は、必要な方法及び技術を実行するように特殊化された装置又はシステムを構成するのがより便宜だろう。
【００４２】
本発明の実施形態は、本発明の実施形態の方法及び処理に基づき、各種のコンピュータ実施動作を実行するためのプログラム命令又はプログラムコードを含む、コンピュータにより読み取り可能な媒体にも関連する。プログラム命令は、本発明の目的のために特別に設計及び構成されたものであってもよく、又は、コンピュータソフトウェアの分野の当業者に周知であって、入手可能なものであってもよい。プログラム命令の例は、例えば、コンパイラによって生成されるマシンコード及びコンピュータがインタープリターを用いて実行することができる高水準コードを含むファイルを含んでもよい。
【００４３】
本発明の他の実施形態は、明細書の考慮及びここに開示された発明の実施により当業者において明らかとなるであろう。明細書及び実施例は例示的なものにすぎず、本発明の真の範囲及び要旨は後述の特許請求の範囲により示される。発明自体は、以下の特許請求の範囲のみによって限定される。
【図面の簡単な説明】
【００４４】
【図１】図１は、例示的な安全な文書読み取りシステムのブロック図を示す。
【図２】図２は、安全な文書読み取り方法の例示的なフローチャートを示す。
【図３】図３は、読取装置に接続された取り外し可能なメディアデバイスを検出する工程を詳しく述べるフローチャートを示す。
【図４】図４は、読取装置１７０に接続された取り外し可能なメディアデバイスの種類を認識する方法の工程によるフローチャート４００を示す。
【図５】図５は、読み取り文書に関する属性に基づく、追加的読み取りオプションの入力方法の工程によるフローチャートを示す。
【図１】
2008104170.tif 000003
【図２】
2008104170.tif 000004
【図３】
2008104170.tif 000005
【図４】
2008104170.tif 000006
【図５】
2008104170.tif 000007
【外国語明細書】
2008104170000001.pdf
2008104170000002.pdf
2008104170000003.pdf
2008104170000004.pdf